(57)【要約】【課題】従来の二重締め付け腰バンド等の腰バンドは下着と一体的に設けたものであったため、下着の着用と、腰バンドのセットとを同時に行えるという利点を有していたものの、下着と一体的に腰バンドが設けられていたため、腰バンド部分の伸縮の強度を調整することができずに圧迫感を伴うものであった。【解決手段】伸縮性のあるバンド本体と下着とを一部において係止し、前記係止されている位置から前記バンド本体の一部を前記下着に形成したバンド通し部に通し、前記バンド本体の外面に形成した下着取り付け部と前記下着の外面に形成したバンド取り付け部とにより前記バンド本体と前記下着とを取り付けることを特徴とするバンド付き下着。【選択図】  図１
0003121746.tif 000002
【実用新案登録請求の範囲】
【請求項１】
伸縮性のあるバンド本体と下着とを一部において係止し、前記係止されている位置から前記バンド本体の一部を前記下着に形成したバンド通し部に通し、前記バンド本体の外面に形成した下着取り付け部と前記下着の外面に形成したバンド取り付け部とにより前記バンド本体と前記下着とを取り付けることを特徴とするバンド付き下着。
【請求項２】
前記下着取り付け部と前記バンド取り付け部とは面ファスナーを用いて構成されており、前記下着取り付け部と前記バンド取り付け部とは前記面ファスナーを介して止着されることを特徴とする請求項１に記載のバンド付き下着。
【請求項３】
前記バンド通し部は、前記下着の後方上部に配置したことを特徴とする請求項１又は２に記載のバンド付き下着。
【請求項４】
前記係止位置を前記下着の後方上部に配置したことを特徴とする請求項１乃至３のいずれか一項に記載のバンド付き下着。
【請求項５】
前記バンド通し部は、前記下着の前方上部に配置したことを特徴とする請求項１又は２に記載のバンド付き下着。
【請求項６】
前記係止位置を前記下着の前方上部に配置したことを特徴とする請求項１、２および５のいずれか一項に記載のバンド付き下着。
【請求項７】
前記面ファスナーを前記バンド本体の下着に対向する端部付近に設けたことを特徴とする請求項１乃至６のいずれか一項に記載のバンド付き下着。
【請求項８】
前記バンドの端部は、前記下着の前方上部の中央部に配置したことを特徴とする請求項１乃至４のいずれか一項に記載のバンド付き下着。
【請求項９】
前記バンドの一端部周辺において下着と対向する面に面ファスナーを形成するとともに下着と対向しない面にも面ファスナーを形成し、前記バンドの他の一端部において下着と対向する面に面ファスナーを形成したことを特徴とする請求項１乃至８のいずれか一項に記載のバンド付き下着。
【考案の詳細な説明】
【技術分野】
【０００１】
本考案は、主として腰痛の治療や腰痛の防止のために使用される締め付け腰バンドを取り付けた下着に係り、さらに詳しくは、患部を締め付けるためのバンド本体を下着に設けたバンド付き下着に関する。
【背景技術】
【０００２】
従来、腰バンドとして二重締め付け腰バンドがあり、例えば伸縮性のあるバンド本体を下着と一体的に形成し、このバンド本体の外面に、バンド本体長より短寸の伸縮性のある補助バンドを追加締め付け自在に一体的に取り付けたものが知られている。
【０００３】
この二重締め付け腰バンドは、下着の着用と同時に腰バンドを腰骨位置付近に自然にセットすることができ、腰バンドの位置決め及び装着が容易なものである。
また、この二重締め付け腰バンドにより、バンド本体を下着と一体的に形成することで、例えば身体の屈伸や背伸びといった一連の生活動作の中において、バンド本体や補助バンドの位置ずれを防止することも可能となった。
【０００４】
【特許文献１】実用新案登録第３０８８８１０号
【考案の開示】
【考案が解決しようとする課題】
【０００５】
しかし、従来の二重締め付け腰バンド等の腰バンドは下着と一体的に設けたものであったため、下着の着用と、腰バンドのセットとを同時に行えるという利点を有していたものの、下着と一体的に腰バンドが設けられていたので、腰バンド部分の伸縮の強度を調整することができずに圧迫感を伴うというものであった。
本考案は、上述の問題点を解消しようとするものである。
【課題を解決するための手段】
【０００６】
上記目的を達成するために請求項１の考案は、伸縮性のあるバンド本体と下着とを一部において係止し、前記係止されている位置から前記バンド本体の一部を前記下着に形成したバンド通し部に通し、前記バンド本体の外面に形成した下着取り付け部と前記下着の外面に形成したバンド取り付け部とにより前記バンド本体と前記下着とを取り付けることを特徴とする。
【０００７】
上記した本考案に係る腰バンドは、バンド本体の一部と下着とを係止し、さらにバンド本体を下着に設けられたバンド通し部の内部を通すとともに、バンド本体を係止している部分と異なる部分で下着とバンド本体とを止着する構成とした。
これにより、下着の着用と同時に、下着に設けられたバンド通し部の内部を通る腰バンドとしてのバンド本体を腰骨位置付近に自然にセットすることができるので、腰バンドの位置決め及び装着が極めて容易となった。
【０００８】
さらに、バンド本体を下着と係止および止着することおよびバンド通し部にバンド本体を通すことで、例えば身体の屈伸や背伸びといった一連の生活動作の中において、バンド本体の位置ずれを防止することも可能となった。
さらに、下着と一体的に腰バンドが設けられていないので、腰バンド部分の伸縮の強度を調整することができ、腰周辺に対する圧迫感を減少させることが可能となった。
【０００９】
請求項２は、前記下着取り付け部と前記バンド取り付け部とは面ファスナーを用いて構成されており、前記下着取り付け部と前記バンド取り付け部とは前記面ファスナーを介して止着されることを特徴とする。
バンド本体の両端に面ファスナーを設けることで、バンドを確実かつ容易に下着に止着させることができるようになる。
【００１０】
請求項３は、前記バンド通し部は、前記下着の後方上部に配置したことを特徴とする。
バンド通し部を下着の後方上部に配置することで、バンド通し部の中央部を腰付近に正確に当てることができる。また、バンド通し部の内部に位置するバンドは下着と一体に形成されていないため、腰付近は下着と密着して動くことができるとともに、バンド本体は下着の動きとは一体となって移動することはないので、自由に伸縮することができるために、腰周辺に対する圧迫感を減少させることが可能となった。
【００１１】
請求項４は、前記係止位置を前記下着の後方上部に配置したことを特徴とする。
バンドと下着との係止位置を、下着の後方上部としたために、下着の後方上部にあるバンド通し部の中でバンドと下着を係止する構成となる。
したがって、バンドは下着に係止されているために、バンドだけが紛失してしまうことを防止することができる。また、係止位置が下着の後方にあるために、下着の前方で、バンドと下着を止着する場合に、バンド全体の伸縮を調整して、腰周辺の圧迫感を容易に調整することが可能となる。
【００１２】
請求項５は、前記バンド通し部は、前記下着の前方上部に配置したことを特徴とする。
バンド通し部を下着の前方上部に配置することで、バンド通し部の中央部をお腹付近に当てることができる。また、バンド通し部の内部に位置するバンドは下着と一体に形成されていないため、お腹付近は下着と密着して動くことができるとともに、バンドは下着の動きとは一体となって移動することはないので、自由に伸縮することができるために、腹周辺に対する圧迫感を減少させることが可能となった。
【００１３】
請求項６は、前記係止位置を前記下着の前方上部に配置したことを特徴とする。
バンドと下着との係止位置を、下着の前方上部としたために、下着の前方上部にあるバンド通し部の中でバンドと下着を係止する構成となる。
したがって、バンドは下着に係止されているために、バンドだけが紛失してしまうことを防止することができる。また、係止位置が下着の前方にあるために、下着の後方で、バンドと下着を止着する場合に、バンドの位置を腰の患部に当て、または患部の周辺に適切に止着させることができる。また、バンド全体の伸縮を調整して、腰周辺の圧迫感を容易に調整することが可能となる。
【００１４】
請求項７は、前記面ファスナーを前記バンド本体の下着に対向する端部付近に設けたことを特徴とする。
このように、バンド全体を使用して伸縮調整をすることができるとともに、バンドの一部が腹および腰から垂れてしまうことがないために、効率よくバンドを使用できるとともに、外観も均整がとれたバンド付き下着とすることができる。
【００１５】
請求項８は、前記バンドの端部は、前記下着の前方上部の中央部に配置したことを特徴とする。
バンドの中央部を下着の前方上部に配置することで、バンドの中央部をお腹付近に当てることができ、このバンドの中央部でお腹を持ち上げて体型を効率よく補整することができるようになる。
【００１６】
請求項９は、前記バンドの一端部周辺において下着と対向する面に面ファスナーを設けるとともに下着と対向しない面にも面ファスナーを設け、前記バンドの他の一端部において下着と対向する面に面ファスナーを設けることを特徴とする前記バンドの端部は、前記下着の後方上部の中央部に配置したことを特徴とする
この構成によれば、腰回りの長さは使用者毎に変わるが、バンドの一端または両端を長めに形成しておくことによって、一つの下着サイズに対して、様々な腰周りの長さの使用者に対して、バンドの締め付け具合を容易に調整することが可能となる。また、使用者にとって最適の箇所において締め付けを行えるという効果がある。
【考案の効果】
【００１７】
以上述べたように、請求項１によるバンド付き下着によれば、バンド本体の一部と下着とを係止し、さらにバンド本体を下着に設けられたバンド通しの内部を通すとともに、バンド本体を係止している部分と異なる部分で下着とバンド本体とを止着する構成とした。
これにより、下着の着用と同時に、下着に設けられたバンド通しの内部を通る腰バンドとしてのバンドを腰骨位置付近に自然にセットすることができるので、腰バンドの位置決め及び装着が極めて容易となった。
【００１８】
さらに、バンド本体を下着と係止および止着することで、例えば身体の屈伸や背伸びといった一連の生活動作の中において、バンド本体や補助バンドの位置ずれを防止することも可能となった。
また、下着と一体的に腰バンドが設けられていないので、腰バンド部分の伸縮の強度を調整することができ、腰周辺に対する圧迫感を減少させることが可能となった。
【００１９】
請求項２は、バンドの両端に面ファスナーを設けることで、バンドを確実かつ容易に下着に止着させることができるようになる。
【００２０】
請求項３は、バンド通し部を下着の後方上部に配置することで、バンド通し部の中央部を腰付近に当てることができる。また、バンド通し部の内部に位置するバンドは下着と一体に形成されていないため、腰付近は下着と密着して動くことができるとともに、バンドは下着の動きとは一体となって移動することはないので、自由に伸縮することができるために、腰周辺に対する圧迫感を減少させることが可能となった。
【００２１】
請求項４は、バンドと下着との係止位置を、下着の後方上部としてあるために、下着の後方上部にあるバンド通し部の中でバンドと下着を係止する構成となる。
したがって、バンドは下着に係止されているために、バンドだけが紛失してしまうことを防止することができる。また、係止位置が下着の後方にあるために、下着の前方で、バンドと下着を止着する場合に、バンド全体の伸縮を調整して、腰周辺の圧迫感を容易に調整することが可能となる。
【００２２】
請求項５は、バンド通し部を下着の前方上部に配置することで、バンド通し部の中央部をお腹付近に当てることができる。また、バンド通し部の内部に位置するバンドは下着と一体に形成されていないため、お腹付近は下着と密着して動くことができるとともに、バンドは下着の動きとは一体となって移動することはないので、自由に伸縮することができるために、お腹周辺に対する圧迫感を減少させることが可能となった。
【００２３】
請求項６は、バンドと下着との係止位置を下着の前方上部としたために、下着の前方上部にあるバンド通し部の中でバンドと下着を係止する構成となる。
したがって、バンドは下着に係止されているために、バンドだけが紛失してしまうことを防止することができる。また、係止位置が下着の前方にあるために、下着の後方で、バンドと下着を止着する場合に、バンドの位置を腰の患部に当て、または患部の周辺に適切に止着させることができる。また、バンド全体の伸縮を調整して、腰周辺の圧迫感を容易に調整することが可能となる。
【００２４】
請求項７は、バンド全体を使用して伸縮調整をすることができるとともに、バンドの一部がお腹および腰から垂れてしまうことがないために、効率よくバンドを使用できるとともに、外観も均整がとれたバンド付き下着とすることができる。
【００２５】
請求項８は、バンドの中央部を下着の前方上部に配置することで、バンドの中央部をお腹付近に当てることができ、このバンドの中央部でお腹を持ち上げて体型を効率よく補整することができるようになる。
【００２６】
請求項９は、腰回りの長さは使用者毎に変わるが、バンドの一端または両端を長めに形成しておくことによって、一つの下着サイズに対して、様々な腰周りの長さの使用者に対して、バンドの締め付け具合を容易に調整することが可能となる。また、使用者にとって最適の箇所において締め付けを行えるという効果がある。
【考案を実施するための最良の形態】
【００２７】
以下添付図面に基づいて、本考案に係るバンド付き下着の一実施の形態を詳説する。
図１は本考案に係る第１実施形態としてのバンド付き下着を示す正面図、図２は本考案に係る第１実施形態を示す背面図、図３は図２のＡ−Ａ線断面図である。
【００２８】
図１〜図３に示す第１実施形態のバンド付き下着１２は、伸縮性のあるバンド本体１４を下着１２に設けられたバンド取り付け部１３の内部１３ｄを通し、下着１２に設けられた面ファスナー１５ｃと  バンド本体に設けられた面ファスナー１５ａおよび１５ｂとにより止着することにより、下着１２とバンド本体１４との位置関係を固定しつつ、伸縮性のあるバンド本体１４を締め付け自在に配設している。
【００２９】
バンド本体１４は、下着１２の上部近辺に、巻回されるものであり、フェルト、ニット、パイル若しくはネルなどの如き保温性に優れた生地が使用され、就中、縦糸（経糸）と横糸（緯糸）とを織り込んだメッシュタイプのものを使用することが好ましい。
例えば、ナイロンフィラメントからなる縦糸（経糸）と、ポリエステルと、ポリウレタンとを適宜割合で配合している横糸（緯線）とをメッシュ状に織り込んで、伸縮性を高めた織布を使用することが好ましい。
なお、ポリエステルの代わりに綿やアクリル、ナイロンなどの合成繊維を使用できることは云うまでもなく、これらの織り糸に限定されるものではない。
【００３０】
図１に基づいて、バンド付き下着１１の正面である前方部のバンド付き下着の構成を説明する。
下着１２の上部には、面ファスナー１５ｃが形成されており、その面ファスナー１５ｃの上部には下着１２を使用者が着た場合に、下着がずれ落ちないための下着用バンド１２ａが構成されている。
この面ファスナー１５ｃの両端部からは、バンド本体の一端部１４ａと他端部１４ｂとが下着１２の背面である後方から前方に引き出された状態になっている。
【００３１】
バンド本体１４の一端部１４ａおよび他端部１４ｂの下着１２と対向する面には、それぞれ面ファスナー１５ａおよび１５ｂが形成されている。
面ファスナー１５ｂは図１に示されるように、折り返されたバンド本体１４の他端部１４ｂと下着１２に形成された面ファスナー１５ｃとを重ね合わせることにより止着されるようになる。
面ファスナー１５ａも、面ファスナー１５ｂと同様に、折り返されたバンド本体１４の一端部１４ａと下着１２に形成された面ファスナー１５ｃとを重ね合わせることにより止着される。
【００３２】
この面ファスナー１５ａ、１５ｂおよび１５ｃは、バンド本体１４を身体の腰部に正しく締め付けるべく引っ張りながら巻回させた際、バンド本体１４の復元力に抗してバンド１４本体を下着１２に止着させるためのものである。
このように、バンド本体１４の一端部１４ａ及び他端部１４ｂに面ファスナー１５ａ及び１５ｂを設けることで、バンド１４本体の一端部１４ａ及び他端部１４ｂを容易に下着の前方上部に設けられた面ファスナー１５ｃに止着させることができる。
【００３３】
また、バンド本体１４を、面ファスナーを介して自由に調整できるので、腰部の締付力をより広範囲に調節することができる。
また、バンド本体１４が下着１２と一体に形成されていないので、使用者の体に対する圧迫感が軽減される。
【００３４】
つぎに、図２に基づいて、バンド付き下着１１の背面である後方部のバンド付き下着の構成を説明する。
下着１２の上方には、バンド通し部１３が形成されている。バンド通し部１３は、バンド本体１４を通すための中空部１３ｄ（図３参照）が形成されている帯状の形状をした部分である。
バンド通し部１３の一端には開口部１３ａが形成されている。開口部１３ａはバンド本体１４を下着の前方に引き出すための開口である。引き出されたバンド本体１４は下着１２の前方でバンド本体１４の一端部１４ａとなる。
【００３５】
また、バンド通し部１３の他端にも開口部１３ｂが形成されている。開口部１３ｂはバンド本体１４を下着の前方に引き出すための開口である。引き出されたバンド本体１４は下着１２の前方でバンドの他端部１４ｂとなる。
さらに、バンド本体１４はバンド通し部の中央部付近１３ｃにおいて、バンド通し部１３に縫い付け等によって係止されている。
このようにバンド本体１４がバンド通し部１３を介して下着に係止されていることによりバンド本体１４のみがなくなるということを防ぐことが可能となる。
【００３６】
また、係止位置１３ｃをバンド本体１４の中央部とすれば、下着１２の前方で下着１２に形成された面ファスナー１５ｃにバンド本体１４を止着する場合に、一端部１４ａと他端部１４ｂとを同様の強さで引っ張ることにより容易にバンド本体１４を、面ファスナー１５ｃを介して下着１２に止着することができる。
ここで、バンド本体１４が下着１２と一体に形成されていないので、使用者の体に対する圧迫感が軽減される。
【００３７】
ついで、図３を用いて、バンド付き下着１１のＡ−Ａ線断面について説明する。
図３における右側がバンド付き下着１１の背面を示し、図３おける左側がバンド付き下着１１の正面を示す。
バンド付き下着１１の背面には、下着１２と下着１２の上部にバンド取り付け部１３とバンド取り付け部１３の上部に下着用バンド１２ａが形成されている。バンド取り付け部１３には中空部１３ｄが形成されており、この中空部１３ｄをバンド本体１４が通ることになる。
【００３８】
バンド付き下着１１の正面には、下着１２と下着１２の上部の面ファスナー１５ｃと下着バンド１２ａが形成されている。この面ファスナー１５ｃにはバンド本体１４が巻回される。
【００３９】
図１乃至３において説明したバンド付き下着１１によれば、下着１２を着用することによりバンド本体１４は、下着１２の背面である後方部に形成された、中空の帯状になっているバンド取り付け部１３の中空部１３ｄを通ることによりバンド本体１４の腰に対する位置も自然に定まる。この状態で、下着１２の前方でバンド本体１４に形成された面ファスナー１５ａおよび１５ｂを用いることにより、バンド本体１４の締め付けを自在におこなうことができる。
【００４０】
さらに、バンド本体１４が下着と一体に形成されていないため、面ファスナー１５ａおよび１５ｂを用いずにバンド本体１４を締め付けていない状態においても、下着用バンド１２ａが使用者の腰周りを緩やかに締め付けるために下着１２がずり落ちることはない。したがって、下着１２のずり落ちを気にすることなく、バンド本体１２の締め付けを行うことができる。
あわせて、バンド本体１４を下着１２の下着用のバンドとして一体に使用していないので、腰周りの圧迫感を生ずることがないという利点がある。
【００４１】
さらに図２に示すように、バンド本体１４の中央部付近をバンド本体１４の後部（すなわち、下着１２の後部）に縫着などの適宜手段で固定状態になるようにしておくと、バンド本体１４が下着１２から散逸することがなく、取扱い易いものとなる。
【００４２】
本実施形態においては、バンド本体１４の締め付けを下着１２の前面において行なったがこれに限定されるわけではなく、バンド本体１４の締め付けを下着１２の背面において行なうこともできる。この場合には、バンド取り付け部１３は下着１２の前面に形成されることになる。
バンド本体１４の締め付けを下着１２の前面において行なう場合には、腹部をへこませて体型を効率よく補整することができる。また、バンド本体１４の締め付けを下着１２の背面において行なう場合には、尻部をへこませて体型を効率よく補整することができる。
【００４３】
また本実施形態においては、下着として女子用のショーツの場合を示しているが、本考案はこれに限定されるものではなく、男子用のブリーフ、男子および女子用の３分丈、５分丈、７分丈用の下着等である任意の大きさの下着に適用される。
なお、必要に応じてバンド本体１４を下着１２から取り外し自在になるように構成しておくと、バンド本体１４を下着１２上の自由な位置に取り付けることができ、その結果使用性が向上する特徴がある。
【００４４】
上述したようにバンド付き下着１１は、バンド本体１４と下着１１との位置関係をほぼ一定な位置関係になるように配設しているので、バンド本体１４を最適位置に自動的に導き、これで腰部を確実に締め付けることができ、さらに比較的軽い力で、格別のテクニックを要することなく腰部を所望の締付け力で締め付けることができる。
【００４５】
また、バンド本体１４による使用者の体への締め付けと、下着１１の使用者の体への締め付けとは別の部分で構成されているので、バンド本体１４による患部への圧迫と下着を着用する際の圧迫場所が異なる位置となる。その結果、バンド付き下着１１を着用した場合の腰まわりへの圧迫感を減少させることができる。
【００４６】
加えて、バンド本体１４による締付力の調節範囲を広くすることができ、使い勝手の向上を図ることができる。
さらに、例えば身体の屈伸や背伸びといった一連の生活動作の中において、バンド本体１４と下着１２との位置ずれを防止して、バンド本体１４を整え直す手間を省くこともできる。
【００４７】
つぎに、第２実施形態を図４および図５に基づいて説明する。
第２実施形態のバンド付き下着１６は、バンド本体１７の一部を下着の前部で２重に巻回することを特徴としている。
図４には、下着１７の上部の一部に、面ファスナー２０ｃが形成されており、その面ファスナー２０ｃの上部には下着１７を使用者が着た場合に、下着がずれ落ちないための下着用バンド１７ａが示されている。
【００４８】
下着１７の上部の両端部からは、バンド本体の一端部１９ａと他端部１９ｂとが下着１７の背面である後方から前方に引き出された状態になっている。
バンド本体１９の一端部１９ａおよび他端部１９ｂにおける下着１７と対向する面には、それぞれ面ファスナー２０ａおよび２０ｂが形成されている。
この面ファスナー２０ｂは図４に示されるように、折り返されたバンド本体１９の他端部１９ｂと下着１７に形成された面ファスナー２０ｃとを重ね合わせることにより止着される。
【００４９】
バンド本体１９の他端部１９ｂにおける、下着１７と対向する面の裏側の外面には、面ファスナー２０ｄ（図５参照）が形成されている。
面ファスナー２０ｃと止着されたバンド本体の他端部１９ｂの他の外面には面ファスナー２０ｄが下着１７の前面方向に形成されている状態となる。一端部１９ａに形成された面ファスナー２０ａは、面ファスナー２０ｄに止着される。このようにして下着１７の前面において、バンド本体１９の他端部１９ｂの上部に一端部１９ａが重ねて止着されることになる。
【００５０】
このようにバンド本体１９は、面ファスナー２０ｃと２０ｂとを介して、下着１７とバンド本体１９の他端部１９ｂとがしっかりと止着される。そして、下着１７と面ファスナー２０ｃと２０ｂとを介して止着されたバンド本体１９の他端部１９ｂとバンド本体１９の一端部１９ａとは、面ファスナー２０ｄと２０ａとを介して止着される。
また面ファスナー２０ａ、２０ｂ、２０ｃおよび２０ｄは、バンド本体１４を身体の腰部に正しく締め付けるべく引っ張りながら巻回させた際、バンド本体１４の復元力に抗してバンド１４本体を下着１２に止着させるためのものである。
【００５１】
このように、バンド本体１９の一端部１９ａに面ファスナー２０ａを設け、他端部１９ｂに面ファスナー２０ｂ及び２０ｄを設けることで、バンド１４本体の一端部１９ａ及び他端部１９ｂを容易に下着１７の前方上部で面ファスナー１５ｃを介して、下着１７に止着させることができる。
したがって、下着１７の前面においては、バンド本体１９が２重に巻回されるので、バンド本体１９をしっかりと患部に巻回することが可能となる。
また、バンド本体１９は面ファスナーを介して自由に調整できるので、腰部の締付力をより広範囲に調節することができる。
【００５２】
つぎに、図５に基づいて、バンド付き下着１６の背面である後方のバンド付き下着の構成を説明する。
下着１７の上部には、バンド通し部１８が形成されている。このバンド通し部１８は、バンド本体１９を通すための中空部が形成されている帯状の形状をした部分である。
バンド通し部１８の一端には開口部１８ａが形成されている。開口部１８ａはバンド本体１９を下着の前方において引き出すための開口である。引き出されたバンド本体１９は下着１７の前方でバンドの一端部１９ａとなる。
【００５３】
また、バンド通し部１８の他端にも開口部１８ｂが形成されている。開口部１８ｂはバンド本体１８を下着の前方において引き出すための開口である。引き出されたバンド本体１９は下着１７の前方でバンドの他端部１９ｂとなる。
ここで、バンド本体１９はバンド通し部の中央部付近１８ｃにおいて、バンド通し部１８に縫い付け等によって係止されている。
【００５４】
このようにバンド本体１９がバンド通し部１８を介して下着に係止されていることによりバンド本体１９のみがなくなるということを防ぐことが可能となる。
また、係止位置１８ｃをバンド本体１９の中央部とすれば、下着１７の前方において下着１７に形成された面ファスナー２０ｃにバンド本体１９を止着する場合に、一端部１９ａと他端部１９ｂとを同様の強さで引っ張ることによりバンド本体１９を下着１７に容易に止着することができる。
ここで、バンド本体１４が下着１１と一体に形成されていないので、使用者の体に対する圧迫感が軽減される。
【００５５】
本実施形態においては、３分丈の下着の場合を示したが、本考案はこれに限定されるものではなく、女子用のショーツ、男子用のブリーフ、男子および女子用の５分丈、７分丈用の下着等である任意の大きさの下着に適用される。
本実施形態においては、バンド本体１９の締め付けを下着１７の前面において行なったがこれに限定されるわけではなく、バンド本体１９の締め付けを下着１７の背面において行なうこともできる。この場合には、バンド取り付け部１８は下着１７の前面に形成されることになる。
【００５６】
バンド本体１９の締め付けを下着１７の前面において行なう場合には、腹部をへこませて体型を効率よく補整することができる。また、バンド本体１９の締め付けを下着１７の背面において行なう場合には、尻部をへこませて体型を効率よく補整することができる。
【産業上の利用可能性】
【００５７】
なお、本考案のバンド付き下着は、本実施の形態に限定されることなく、本考案の目的の範囲内で自由に変更し得るものであり、本考案はそれらの全てを包摂するものである。
【図面の簡単な説明】
【００５８】
【図１】本考案に係る第１実施の形態としてのバンド付き下着を示す正面図である。
【図２】本考案に係る第１実施の形態を示す背面図である。
【図３】図２のＡ−Ａ線断面図である。本考案に係る第１実施の形態を示す斜視図である。
【図４】本考案に係る第２実施の形態としてのバンド付き下着を示す正面図である。
【図５】本考案に係る第２実施の形態の背面図である。
【符号の説明】
【００５９】
１４、１９…バンド本体
１２、１７…下着
１４ａ，１９ａ…バンド本体の一端部
１４ｂ，１９ｂ…バンド本体の他端部
１５ａ、１５ｂ、１５ｃ、２０ａ、２０ｂ、２０ｃ、２０ｄ…面ファスナー
【図１】
0003121746.tif 000003
【図２】
0003121746.tif 000004
【図３】
0003121746.tif 000005
【図４】
0003121746.tif 000006
【図５】
0003121746.tif 000007